(57)【要約】【課題】フックの挿入力と抜去力（保持力）とに大差を付けたり、抜去力のばらつきを抑えるようにし、それにより使い勝手を向上する。【解決手段】物品取付具１は、被取付部に取り付けられるケース２と、物品側フックを弾性係合する係止部を有してケース２内に組み付けられる保持部材３とからなる。また、保持部材３は、ケース２に装着される枠部３０と、枠部３０の対向する箇所からそれぞれ下設されて、対向内面に係止部３３を突出し、かつ該係止部３３より下側にフック用受部３２ａを形成している捩り変形可能な一対の片部３１とを有し、各片部３１の係止部３３が片部内面の対向している内面部分にあって、突出寸法がほぼ同じく、かつ水平方向へずらして設けられることにより、フックＦが枠部３０内から係止部３３同士の間を各片部の弾性拡開及び捩り変形を伴って通過し受部３２ａに入って抜止可能となる。【選択図】図３
2007285478.tif 000002
【特許請求の範囲】
【請求項１】
パネル等の被取付部に取り付けられるケースと、物品側のフックを弾性係合する係止部を有して前記ケース内に組み付けられる保持部材とからなる物品取付具において、
前記保持部材は、前記ケースに係合手段を介して装着される枠部と、前記枠部の対向する箇所からそれぞれ下設されて、対向内面に前記係止部を突出し、かつ該係止部より下側にフック用受部を形成している捩り変形可能な一対の片部とを有し、
前記各片部の係止部が片部内面の対向している内面部分にあって、突出寸法がほぼ同じく、かつ水平方向へずらして設けられることにより、前記フックが前記枠部内から前記係止部同士の間を各片部の弾性拡開及び捩り変形を伴って通過し前記受部に入って抜止可能となることを特徴とする物品取付具。
【請求項２】
パネル等の被取付部に取り付けられるケースと、物品側のフックを弾性係合する係止部を有して前記ケース内に組み付けられる保持部材とからなる物品取付具において、
前記保持部材は、前記ケースに係合手段を介して装着される枠部と、前記枠部の対向する箇所からそれぞれ下設されて、対向内面に前記係止部を突出し、かつ該係止部より下側にフック用受部を形成している捩り変形可能な一対の片部とを有し、
前記各片部の係止部が片部内面の対向している内面部分にあって、一方が内面幅方向の一端側を他端側より突出量を大きく、逆に、他方が内面幅方向の他端側を一端側より突出量を大きく設けられることにより、前記フックが前記枠部内から前記係止部同士の間を各片部の弾性拡開及び捩り変形を伴って通過し前記受部に入って抜止可能となることを特徴とする物品取付具。
【請求項３】
請求項１又は２の物品取付具において、前記ケースは、前記保持部材の各片部に対向するケース両側内面にそれぞれ設けられて、前記フックが前記受部に入った状態で前記片部同士の間からはみ出るフック部分を両側より抑える挟持用リブを有していることを特徴とする物品取付具。
【請求項４】
請求項１から３の何れかに記載の物品取付具において、前記ケースは、前記保持部材の各片部に対向するケース両側面にそれぞれ設けられて、前記片部の拡開変形を損なわないようケース側面の対応部を変形容易にするスリットを有していることを特徴とする物品取付具。
【請求項５】
請求項１から４の何れかに記載の物品取付具において、前記ケースの下側と前記保持部材の下側との間に設けられて、前記各片部の捩り変形量を規制する規制手段を有していることを特徴とする物品取付具。
【請求項６】
請求項１から６の何れかに記載の物品取付具において、前記保持部材は、前記片部が前記係止部側を前記枠部側より幅細に形成されていることを特徴とする物品取付具。
【発明の詳細な説明】
【技術分野】
【０００１】
本発明は、例えば、パネル等の被取付部に予め取り付けられて、物品側のフックを内部の係止部で抜け止めすることにより物品を被取付部に対しワンタッチで取付可能にする場合に好適な物品取付具に関する。
【背景技術】
【０００２】
図９（ａ），（ｂ）は本出願人が先に提案した物品取付具の２例を示している。このうち、（ａ）の取付具（留め具）５０は、特許文献１に開示のもので、パネル等の被取付部に取り付けられるケース（外箱）５１と、ケース５１に組み付けられて物品側フックＦを弾性係合する保持部材（中子）５５とからなる。ケース５１は、上縁に設けられたフランジ部５２と、フランジ部５２の下側周囲に設けられた窓孔５３と、窓孔５３の下側周囲に設けられて被取付部に設けられた取付孔へケース対応部を挿入した状態で取付孔周縁の表面を覆う係止フランジ部５４と、係止フランジ部５４の下側の対向する側壁外周面に設けられて係止フランジ部５４と所定の間隔を保っている不図示の取付用係止爪とを有している。保持部材５５は、ケース５１内に納まる扁平筒状をなし、筒外周に設けられた突起５６と、筒内周に対向して設けられて上下端を筒側に連結しているとともに、上端側に下方へ縮閉した後に拡開する膨出部分５７と、膨出部分５７の下側でフックＦを着脱可能に挟持する弾性係合部５８とを有しおり、ケース５１に対し突起５６と窓孔５３との係合を介して組み付けられる。そして、この構造では、フックＦが膨出部分５７同士の間に押し込まれると、各弾性係合部５８が膨出部分５７側から押されて対称形状に撓み両膨出部分５７の間を通過する。通過後は、両弾性係合部５８が元の状態に弾性復帰し、両膨出部分５７がフックＦを抜け止めする。
【０００３】
（ｂ）の取付具（保持具）６０は、特許文献２に開示のもので、パネル等の被取付部に取り付けられるケース６１と、ケース６１に組み付けられて物品側フックＦを弾性係合する保持部材６６とからなる。ケース６１は、上縁に設けられたフランジ部６２と、フランジ部６２の下側周囲に設けられた矩形孔６３ａと、矩形孔６３ａの下側周囲に設けられて被取付部に設けられた取付孔へケース対応部を挿入した状態で取付孔周縁の表面を覆う係止フランジ部６４と、係止フランジ部６４の下側周囲に設けられた矩形孔６３ｂと、矩形孔６３ｂ側に設けられて係止フランジ部６４と所定の間隔を保っている不図示の取付用係止爪とを有している。ケース６１の内部は、上側が幅広部６５ａ及び下側が幅狭部６５ｂに形成されている。保持部材６６は、縦断面が略Ｕ形状をなし、筒外周に設けられた突起部６７と、筒周囲に対向して設けられた弾性係合部６８と、各係合部６８の内面下側に設けられた突出部６９とを有しており、ケース６１に対し突起部６７が上側の矩形孔６３ａと係合した同図の仮止め状態から、下向きの押圧力により突起部６７が下側の矩形孔６３ｂと係合した本止め状態に切り換えられる。すなわち、この構造では、仮止め状態でフックＦが保持部材６６内に挿入されると、フックＦが弾性係合部６８の弾性拡開を伴って突出部６９同士の間を通過して抜け止めされる。更に押されると、フックＦが保持部材６６の底壁側を押し、保持部材６６が矩形孔６３ａに対する突起部６７の係合を解除してからケース６１の奥へ移動され、突起部６７が次の矩形孔６３ｂに係合した本止め状態となる。本止め状態では、弾性係合部６８の外壁面がケース６１内の幅狭部６５ｂに拘束されてフックＦを強固に保持する。
【０００４】
【特許文献１】特許第３６８６４４４号公報
【特許文献２】特開２００２−３９１３２号公報
【発明の開示】
【発明が解決しようとする課題】
【０００５】
上記従来の物品取付具５０，６０は、ケース５１，６１及び保持部材５５，６１のツーピース構成であり、特開平１１−２３０１３５号等に開示のワンピース構成のものに比べて、成形金型の無理抜きをなくしたり各部の精度を維持できるため、フックを抜け止めするまでの挿入力と、フックを外れないようにする抜去力（保持力）とに大差をつけて要求特性を充足し易いが、抜去力が取付具毎にばらついて安定化し難く、また挿入性を重視している等の関係でフックを強制的に引き抜く際に各部の突起や突起部が不用意に潰れたり係合解除し易い。
【０００６】
そこで、本発明の目的は、以上のような課題を解消して、特にフックの挿入力と抜去力（保持力）とに大差を付けたり、抜去力のばらつきを抑えるようにし、それにより使い勝手を向上できる物品取付具を提供することにある。
【課題を解決するための手段】
【０００７】
請求項１の発明は、パネル等の被取付部に取り付けられるケースと、物品側のフックを弾性係合する係止部を有して前記ケース内に組み付けられる保持部材とからなる物品取付具において、前記保持部材は、前記ケースに係合手段を介して装着される枠部と、前記枠部の対向する箇所からそれぞれ下設されて、対向内面に前記係止部を突出し、かつ該係止部より下側にフック用受部を形成している捩り変形可能な一対の片部とを有し、前記各片部の係止部が片部内面の対向している内面部分にあって、突出寸法がほぼ同じく、かつ水平方向へずらして設けられることにより、前記フックが前記枠部内から前記係止部同士の間を各片部の弾性拡開及び捩り変形を伴って通過し前記受部に入って抜止可能となることを特徴としている。
【０００８】
また、請求項２の発明は、請求項１の物品取付具に比べ係止部の形状が異なり、前記各片部の係止部が片部内面の対向している内面部分にあって、一方が内面幅方向の一端側を他端側より突出量を大きく、逆に、他方が内面幅方向の他端側を一端側より突出量を大きく設けられることにより、前記フックが前記枠部内から前記係止部同士の間を各片部の弾性拡開及び捩り変形を伴って通過し前記受部に入って抜止可能となることを特徴としている。
【０００９】
以上の各発明の物品取付具において、前記ケースは前記保持部材の各片部に対向するケース両側内面にそれぞれ設けられて、前記フックが前記受部に入った状態で前記片部同士の間からはみ出るフック部分を両側より抑える挟持用リブを有していること（請求項３）、前記ケースは前記保持部材の各片部に対向するケース両側面にそれぞれ設けられて、ケース側面の対応部を変形容易にすることで前記片部の拡開変形を損なわないようにするスリットを有していること（請求項４）、前記ケースの下側と前記保持部材の下側との間に設けられて、前記各片部の捩り変形量を規制する規制手段を有していること（請求項５）と、前記保持部材は前記片部が前記係止部側を前記枠部側より幅細に形成されいること（請求項６）、がより好ましい。
【発明の効果】
【００１０】
請求項１の発明では、保持部材がケースに対し上側の枠部で装着され、下へ延びている捩り変形可能な一対の片部を有し、該各片部に係止部と最下のフック用受部を形成しており、また、各片部の係止部が片部内面の対向している内面部分にあって、突出寸法がほぼ同じく、かつ水平方向へずらされている。これらから、この構造では、例えば、フック挿入時に各片部の捻れ変形作用により挿入力を弱くしたり、挿入力と抜去力（保持力）との差を大きくでき、また、文献１や２の構造に比べて抜去力のばらつきを抑えて要求特性を向上できる。
【００１１】
請求項２の発明では、保持部材がケースに対し上側の枠部で装着され、下へ延びている捩り変形可能な一対の片部を有し、該各片部に係止部と最下のフック用受部を形成しており、また、各片部の係止部が片部内面の対向している内面部分にあって、一方が左から右側に行くに従って突出量を減じ、他方が右から左側に行くに従って突出量を減じるよう設けられている。これらから、この構造でも、例えば、フック挿入時に各片部の捻れ変形作用により挿入力を弱くしたり、挿入力と抜去力（保持力）との差を大きくでき、また、文献１や２の構造に比べて抜去力のばらつきを抑えて要求特性を向上できる。
【００１２】
請求項３の発明では、フックがケース側の挟持用リブに挟まれるため、フックの係止状態を安定に維持し、それにより抜去力（保持力）のばらつきも抑えられるようにする。これに対し、請求項４の発明では、例えば、ケース内側面と片部との間のクリアランスを小さく設定しても、片部が拡開変形してケース内側面に当接したとき、ケース内側面もスリットを介して変形することで片部の拡開変形を阻害しないようにし、それにより挿入力の増大を防ぐ。
【００１３】
請求項５の発明では、各片部が規制手段により過大に捩られないよう規制されることにより、挿入力及び抜去力（保持力）のばらつきが抑えられる。請求項６の発明では、例えば、各片部が上側より係止部側が細くなっているためフック挿入時に係止部側が捩り変形し易くしそれによって挿入力を確実に小さくできる。
【発明を実施するための最良の形態】
【００１４】
以下、本発明の最良の形態を図面を参照して説明する。この説明では、図１〜図７の物品取付具の構造、組立、作動、図８の変形例の順に詳述する。
【００１５】
（構造）図１〜図５に示される物品取付具１は、上開口したケース２と、ケース２内に組み付けられる保持部材３とからなり、通常、保持部材３をケース２内に装着した状態で取り扱われる。材質は、ケース２及び保持部材３ともに樹脂成形体（ＰＰ又はＰＯＭなど）であるが、樹脂以外であってもよい。
【００１６】
ケース２は、略矩形立体の容器状をなし、前後の側面２０，２０が左右の側面２１，２１より幅広に形成されているとともに、ケース内の上内面側を一段広く形成した嵌合部２ａと、底面２２に穿設された規制孔２２ａと、容器上周縁に突出された鍔状の上フランジ部２３と、上フランジ部２３の少し下側周囲に突出された傘状の下フランジ部２４とを有している。
【００１７】
嵌合部２ａは、後述する保持部材３の枠部３０を受け止める大きさに形成されている。規制孔２２ａは、保持部材３の突起部３６とともに規制手段を構成するもので、底面２２の略中心に位置して斜めの細長い矩形孔として形成されている。上フランジ部２３は、上面内側がケース２内に向けて下向きに傾斜するテーパーに形成され、例えば、フックＦを突設している物品側の対応部が接したときに安定した状態で受止可能となっている。下フランジ部２４は、図３（ｂ）に示したごとくケース２の下側を被取付部であるパネル４の取付孔５に挿入すると、該取付孔５の周囲表面を覆うようパネル４に当接して取付孔５に対するケース２の挿入量を規制したり取付孔５からの液の出入りを防ぐようにする。
【００１８】
また、側面２０，２０は、上フランジ部２３と下フランジ部２４との間にある周囲部であって各側面に対向して設けられている係止孔２５と、下フランジ部２４の直ぐ下側にある周囲部であって各側面に対向して設けられている左右の弾性係止爪２６，２６と、各係止爪２６より下側の周囲部であって各側面に対向して設けられている対の縦スリット２８と、各側面の内面に対向して設けられている対の縦リブ２９とを有している。
【００１９】
ここで、係止孔２５は矩形孔として形成されている。各係止爪２６は、側面２０に対しコ形のスリット２７により区画されている。各縦スリット２８は、内側の縦リブ２９と縦リブ２９との間に位置しており、縦スリット２８と縦スリット２８との間の側面部分を弾性変形容易にするための切り欠きである。各縦リブ２９は、物品側のフックＦの対応フック部分を両側より抑える挟持用リブである。
【００２０】
一方、保持部材３は、ケース２に装着される枠部３０と、枠部３０の対向する箇所からそれぞれ下設されて、対向内面に係止部３３を突出し、かつ係止部３３より下側にフック用受部３２ａを形成している捩り変形可能な一対の片部３１，３１とを有している。そして、ケース２に対し枠部３０を介して装着された状態で、各片部３１がケース２内に並設されている縦リブ２９と縦リブ２９との間に余裕を持って配置される。
【００２１】
枠部３０は、横に長い矩形状をなし、長辺部の外面にそれぞれ突設された係合部３４を有している。各片部３１は、枠部３０の長辺部の中間部から対向するよう下設され、下端側が連結部３２で連結されているとともに、連結部３２側を枠部３０側より幅細に形成されて捩り変形し易くなっている。また、各片部３１は、片部同士の間の間隔が枠部３０側で最も大きく、連結部３２の上側付近で最も狭く形成されており、係止部３３がその狭くなった対向内面にそれぞれ形成されている。なお、符号３５は、各片部３１の外面長手方向に設けられた補強リブである。
【００２２】
連結部３２は、略Ｕ形をなし、内側の受部３２ａにフックＦを収容可能となっている。連結部３２の下中間部には、上記した規制孔２２ａとともに規制手段を構成している突起部３６が下設されている。突起部３６は、保持部材３がケース２に対し枠部３０を介して装着された状態で規制孔２２ａに嵌合される。
【００２３】
係止部３３は、図７に示されるごとく各片部３１の内面の対向している内面部分にあって、突出寸法がほぼ同じく、かつ水平方向へずらして設けられている。形状は、受部３２ａ側が最大に張り出し、上に行くほど次第に低くなるテーパー形になっている。換言すると、一方片部３１の内面に設けられている係止部３３と、他方片部３１の内面に設けられている係止部３３とは、ほぼ同じ大きさのテーパー形の凸部であるが、一方が片部の右端から左右中間の手前、他方が片部の左端から左右中間の手前に突設されており、一方と他方との間に所定間隔が保たれている。
【００２４】
（組立等）以上の保持部材３は、図１に示されるごとくケース２に対しケース上開口からケース内に挿入されことで、枠部３０が嵌合部２ａに係合し、かつ係合部３４が係止孔２５に係合された状態に装着される。この組立状態では、ケース２に対し枠部３０が嵌合部２ａを介して不動状態に保持され、各片部３１がケース２内に並設されている縦リブ２９と縦リブ２９との間に余裕を持って配置され、突起部３６が規制孔２２ａに所定角だけ回動可能に嵌合されている。組み立てられた物品取付具１は、例えば、図３（ｂ）に示されるごとくパネル４の取付孔５にケース２を介して取り付けられる。この操作では物品取付具１のケース２を取付孔５に底面側より押し込む。すると、物品取付具１は、ケース２に突出されている複数の係止爪２６が取付孔５の孔縁に当たって弾性縮径し、取付孔５を通過すると元の突出状態に復元して下フランジ部２４との間でパネル４を挟持した状態で該パネル４に対し着脱可能に装着される。
【００２５】
（作動）物品側のフックＦは、図５に示されるごとく物品取付具１を構成しているケース２内の保持部材側枠部３０内に挿入され、枠部３０内から係止部３３同士の間を各片部３１の弾性拡開及び捩り変形を伴って通過して受部３２ａに入って抜け止めされる。この構造では、フック挿入時における各片部３１の捻れ変形作用により挿入力を弱くしたり、挿入力と抜去力（保持力）との差を大きくできる工夫されている。また、各片部３１が最大まで拡開変形したときに、縦スリット２８と縦スリット２８との間のケース内側面に当たって、該側面部分を弾性変形することで負荷が過剰に加わらないようになっている。また、上記した規制手段は、フックＦが枠部３０内から片部３１と片部３１との間に押し込められたとき、各片部３１が係止部３３を介してフックＦの押力を受けて弾性拡開及び捩り変形するが、突起部３６の回動範囲が規制孔２２ａの孔形状を介して所定角に制約されることで各片部３１が過剰に捩り変形しないよう規制される。これは、各片部３１が弱い応力で不用意に捩り変形すると、今度は抜去力（保持力）が維持されなくなるからである。換言すると、以上の形態において、例えば、フックＦの挿入力は、各片部３１が係止部３３を規制部２２ａから離れた箇所に設けて捻れ易くしていることからも弱くでき、フックＦの抜去力（保持力）は、各片部３１が規制部２２ａにより捻れ難くなっていることからも高くできる。
【００２６】
（変形例）図８の物品取付具１は、上記した保持部材３の係止部の形状を変更した例である。この変形例では、上記した形態と同じ部材及び部位について同一符合を付し、重複した記載を極力省く。
【００２７】
図８において、保持部材３は、上記形態と同じく枠部３０と、枠部３０の対向する箇所からそれぞれ下設されて、対向内面に係止部３８を突出し、かつ係止部３８より下側にフック用受部３２ａを形成している捩り変形可能な一対の片部３１，３１とを有している。ここで、各片部３１の係止部３８は、各片部３１の内面の対向している内面部分にあって、一方が内面幅方向の一端側を他端側より突出量を大きく、逆に、他方が内面幅方向の他端側を一端側より突出量を大きく設けられている。換言すると、一方片部３１の内面に設けられている係止部３８と、他方片部３１の内面に設けられている係止部３８とは、ほぼ同じテーパー形の凸部であるが、傾きの方向が異なっているとともに、一方と他方との間に所定間隔が保たれている。この構造は、例えば、フック挿入時に各片部３１の捻れ変形作用により挿入力を弱くしたり、挿入力と抜去力（保持力）との差を大きくできるようにし、また、文献１や２の構造に比べて抜去力のばらつきを抑えて要求特性を向上できるようにする。なお、上記した特開平１１−２３０１３５号のワンピース構成に比べて特に各片部３１がパネル側の取付孔５の規制を受けず、またケース１内に隙間を持って配置可能なため挿入時に捻れ変形し易く、抜去力（保持力）を同じにした場合に挿入力を弱くできる。
【００２８】
なお、本発明は、請求項１や２で特定される技術要素を備えておればよく、細部は必要に応じて種々変更可能なものである。また、物品としては自動車の床に装備される座席、つまりシートを想定しているが、シート以外でも差し支えない。フックＦは、Ｕ形に限られず、Ｌ形などでもよく、また物品がシートであれば該シートの下面に突設されるが、例えば、ベルト等の帯状部材であれば先端側に取り付けられることもある。
【図面の簡単な説明】
【００２９】
【図１】本発明形態に係る物品取付具を分解して示す斜視図である。
【図２】（ａ）〜（ｃ）は図１の物品取付具を示す上面図と正面図と下面図である。
【図３】（ａ）〜（ｃ）は上記物品取付具に物品側フックを係止した状態で示す上面図と（ａ）のＢ−Ｂ線断面図及び（ａ）のＣ−Ｃ線断面図である。
【図４】上記物品取付具に物品側フックを係止した状態での半断面斜視図である。
【図５】（ａ）は縦断面図及び部分作動図、（ｂ）は保持部材の側面図である。
【図６】（ａ）〜（ｃ）は上記物品取付具のケース単品を示す上面図と（ａ）のＤ−Ｄ線断面図及び（ａ）のＥ−Ｅ線断面図である。
【図７】（ａ）〜（ｃ）は上記物品取付具の保持部材単品を示す上面図と（ａ）のＦ−Ｆ線断面図及び正面図である。
【図８】本発明形態の変形例を図２（ａ）に対応して示す上面図である。
【図９】（ａ）と（ｂ）は特許文献１と２の構造を示す説明図である。
【符号の説明】
【００３０】
１…物品取付具
２…ケース（２０は前後の側面、２１は左右の側面、２２は底面）
３…保持部材（３０は枠部、３１は片部、３２は連結部）
４…パネル（被取付部）
５…取付孔
２２ａ…規制孔（規制手段）
２３…上フランジ部
２４…下フランジ部
２５…係止孔（係合手段）
２６…係止爪
２８…縦スリット
２９…縦リブ
３２ａ…受部
３３…係止部
３４…係合部（係合手段）
３６…突起部（規制手段）
３８…係止部
【図１】
2007285478.tif 000003
【図２】
2007285478.tif 000004
【図３】
2007285478.tif 000005
【図４】
2007285478.tif 000006
【図５】
2007285478.tif 000007
【図６】
2007285478.tif 000008
【図７】
2007285478.tif 000009
【図８】
2007285478.tif 000010
【図９】
2007285478.tif 000011